(57)【要約】【課題】支持脚体を、十分な取付強度で、見栄え良く取り付ける。【解決手段】パネル体１１は、パネル状のパネル基材１２と、パネル基材１２の外周側面に沿って少なくとも下部両端部１２Ｐと下部両端部１２Ｐに隣接する両側部下端部１２Ｑとに形成され、パネル基材１２の内方に向けて凹んだ溝２５と、パネル基材１２を支持する一対の支持脚体５０と、を備え、支持脚体５０は、パネル基材１２の下部端部１２Ｐの溝２５内に収容される下部支持部５１と、下部支持部５１から延び、パネル基材１２の側部下端部１２Ｑの溝２５内に収容される側部支持部５２と、下部支持部５１よりも下方に延びる支持脚部５３と、を備える。【選択図】図３
2015086643.tif 000002
【特許請求の範囲】
【請求項１】
パネル状の基材と、
前記基材の外周側面に沿って少なくとも下部両端部と前記下部両端部に隣接する両側部下端部とに形成され、該基材の内方に向けて凹んだ溝と、
前記基材を支持する一対の支持脚体と、を備え、
前記支持脚体は、前記基材の下部端部の前記溝内に収容される下部支持部と、
前記下部支持部から延び、前記基材の側部の下端部の前記溝内に収容される側部支持部と、
前記下部支持部よりも下方に延びる支持脚部と、
を備えることを特徴とするパネル体。
【請求項２】
前記下部支持部は前記基材の下部端部の前記溝の底面に突き当てて固定され、
前記側部支持部は、前記基材の側部端部の前記溝の底面に突き当てて固定されていることを特徴とする請求項１に記載のパネル体。
【請求項３】
前記支持脚体は、隣接して配置される他の前記パネル体と連結するための連結部材の一端が係止可能であることを特徴とする請求項１または２に記載のパネル体。
【請求項４】
前記支持脚体は、前記連結部材の一端が挿入可能なスリットと、
前記スリットに挿入された前記連結部材の一端を係止する係止部と、を備えていることを特徴とする請求項３に記載のパネル体。
【請求項５】
前記支持脚体は、前記スリットに前記連結部材の一端を挿入したときに、前記スリットと前記連結部材とを他の前記パネル体と隣り合う方向において位置決めする位置決め部をさらに備えることを特徴とする請求項４に記載のパネル体。
【請求項６】
前記基材の少なくとも一面側を覆い、外周端部が前記基材の外周縁部で前記溝の内側に巻き込まれた表皮材をさらに備え、
前記支持脚体の前記下部支持部及び前記側部支持部は、前記溝内に嵌め込まれ、前記表皮材の外周端部を、前記溝内周面との間に挟み込んでいることを特徴とする請求項１から５に記載のパネル体。
【請求項７】
前記基材と前記表皮材との間に設けられた軟性材をさらに備えていることを特徴とする請求項６に記載のパネル体。
【請求項８】
前記軟性材の外周端部が、前記表皮材とともに、前記基材の外周縁部で前記溝の内側に巻き込まれていることを特徴とする請求項７に記載のパネル体。
【発明の詳細な説明】
【技術分野】
【０００１】
本発明は、間仕切り装置を構成するパネル体に関する。
【背景技術】
【０００２】
オフィスや公共施設、商業施設等の空間においては、施設内に形成された大空間の一部を小空間に区画することによって、空間利用における自由度を高めることが求められている。そこで、空間内に、間仕切り装置（パーティション）を設けることが広く行われている。間仕切り装置を設けることにより周囲からの視線や音をある程度遮ることができる。この間仕切り装置により空間の一部を仕切り、各執務者の固有スペースを設けたり、打合わせ等のためのスペースを設けることができる。
【０００３】
このような間仕切り装置は、特許文献１、２に開示されているように、芯材と、芯材の表面に設けられた表皮材と、これら芯材および表皮材の外周部に沿って設けられるフレームと、を備えている。
【０００４】
このような間仕切り装置を床面等の上に設置するため、間仕切り装置の下端部に支持脚体が設けられる。
特許文献１，２には、支持脚体を、間仕切り装置の下端部においてフレームの下面に設けた構成が開示されている。
また、支持脚体を、間仕切り装置下端部において、フレームの側面、あるいはパネル面に固定して設けることもある。
【先行技術文献】
【特許文献】
【０００５】
【特許文献１】特許第３０００２５２号公報
【特許文献２】特開平９−１７７２０９号公報
【発明の概要】
【発明が解決しようとする課題】
【０００６】
しかしながら、間仕切り装置の下端部において、フレームの下面や側面、あるいはパネル面に支持脚体を固定していたのでは、支持脚体の間仕切り装置に対する取付強度が不足することがある。
また、支持脚体をフレームの側面やパネル面に固定した場合、支持脚体の取付部が露出するため、見栄えが良くないという問題もある。
そこでなされた本発明の目的は、支持脚体を、十分な取付強度で、見栄え良く取り付けることのできるパネル体を提供することである。
【課題を解決するための手段】
【０００７】
本発明は、上記課題を解決するため、以下の手段を採用する。
すなわち、本発明のパネル体は、パネル状の基材と、前記基材の外周側面に沿って少なくとも下部両端部と前記下部両端部に隣接する両側部下端部とに形成され、該基材の内方に向けて凹んだ溝と、前記基材を支持する一対の支持脚体と、を備え、前記支持脚体は、前記基材の下部端部の前記溝内に収容される下部支持部と、前記下部支持部から延び、前記基材の側部の下端部の前記溝内に収容される側部支持部と、前記下部支持部よりも下方に延びる支持脚部と、を備えることを特徴とする。
このようにして、支持脚体の下部支持部と側部支持部とが、溝内に収容されることで、支持脚体の取付部が露出せず、見栄えを向上させることができる。
また、支持脚体の下部支持部と側部支持部とが、それぞれ基材の下部端部と側部下端部とに固定されることで、支持脚体の基材への取付強度が向上する。
【０００８】
また、前記下部支持部は前記基材の下部端部の前記溝の底面に突き当てて固定され、前記側部支持部は、前記基材の側部端部の前記溝の底面に突き当てて固定されているようにしてもよい。
これにより、下部支持部が基材の下側を直接支持するとともに側部支持部が基材の側部を直接支持する。よって、支持脚体の下部支持部と側部支持部が、それぞれ基材に対して強固に固定される。
【０００９】
前記支持脚体は、隣接して配置される他の前記パネル体と連結するための連結部材の一端が係止可能であるようにしてもよい。
これによって、支持脚体を用いてパネル体の下部どうしを連結することが可能となる。
【００１０】
前記支持脚体は、前記連結部材の一端が挿入可能なスリットと、前記スリットに挿入された前記連結部材の一端を係止する係止部と、を備えているようにしてもよい。
これにより、連結部材の一端を支持脚体のスリットに挿入し、係止部により連結部材を係止することにより、パネル体どうしを容易に連結することができる。
【００１１】
前記支持脚体は、前記スリットに前記連結部材の一端を挿入したときに、前記スリットと前記連結部材とを他の前記パネル体と隣り合う方向において位置決めする位置決め部をさらに備えるようにしてもよい。
これにより、隣り合うパネル体どうしを位置決めして、スリットに挿入した連結部材を支持脚体に容易に係止させることができる。
【００１２】
本発明のパネル体は、前記基材の少なくとも一面側を覆い、外周端部が前記基材の外周縁部で前記溝の内側に巻き込まれた表皮材をさらに備え、前記支持脚体の前記下部支持部及び前記側部支持部は、前記溝内に嵌め込まれ、前記表皮材の外周端部を、前記溝内周面との間に挟み込んでいるようにしてもよい。
これにより、表皮材が、パネル体の外周部において、基材の外周縁部を回り込んで溝の内側に巻き込まれているため、パネル体の外周部は、基材が露出することなく、表皮材で覆われることになる。これにより、パネル体の外観が、柔軟な印象となる。
さらに、表皮材を、溝内で支持脚体の下部支持部及び側部支持部により固定することができる。しかも、支持脚体の下部支持部及び側部支持部がパネル体の外周部に露出するのを抑えることができる。
【００１３】
本発明のパネル体は、前記基材と前記表皮材との間に設けられた軟性材をさらに備えているようにしてもよい。
これにより、パネル体の外観が、さらに柔軟な印象となる。
【００１４】
さらに、前記軟性材の外周端部が、前記表皮材とともに、前記基材の外周縁部で前記溝の内側に巻き込まれているようにしてもよい。
このように、表皮材だけでなく、表皮材によって覆われる軟性材も、基材の外周縁部を回り込んで溝の内側に巻き込まれているので、パネル体の外周部が、より柔軟な印象の外観となる。
【発明の効果】
【００１５】
本発明によれば、支持脚体を、十分な取付強度で、見栄え良く取り付けることが可能となる。
【図面の簡単な説明】
【００１６】
【図１】本実施形態におけるパネル体を用いて構成された間仕切り装置の一例を示す斜視図である。
【図２】パネル体の構成を示す斜視展開図である。
【図３】パネル体の板厚方向中間部における半断面図である。
【図４】パネル体の端部を示す上面図である。
【図５】パネル体の直線部の構造を示す断面図である。
【図６】パネル体のコーナー部の構造を示す断面図である。
【図７】パネル基材の表面に沿って設けられたクッション材を示す断面図であり、（ａ）は表皮材を非装着の状態におけるクッション材の断面図、（ｂ）は表皮材を装着した状態におけるクッション材の断面図である。
【図８】パネル体の下部の角部に設けられた支持脚体、およびパネル体どうしの下部における連結構造の一例を示す斜視図である。
【図９】パネル体どうしの下部における連結構造を示す断面図である。
【図１０】パネル体どうしの上部における連結構造の一例を示す斜視図である。
【図１１】パネル体の製造方法の流れを示す図であり、（ａ）はパネル基材を組み立てた状態の断面図、（ｂ）はパネル基材の表面にクッション材を設けた状態の断面図、（ｃ）はクッション材の表面に表皮材を沿わせた状態の断面図である。
【図１２】本実施形態に係る支持脚体の変形例を示す図であり、支持脚体を備えたパネル体の斜視図である。
【図１３】図１２に示した支持脚体の斜視図である。
【図１４】本実施形態における凹凸形状の複数の変形例を示す断面図であり、（ａ）はクッション材に凹部を形成した例、（ｂ）はクッション材に凸部を形成した例、（ｃ）はクッション材に段部を形成した例、（ｄ）は凹凸形状を湾曲形状とした例を示す図である。
【図１５】本実施形態におけるパネル体の変形例を示す図であり、基材の一面側にのみ凹凸形状を形成した例を示す断面図である。
【発明を実施するための形態】
【００１７】
以下、添付図面を参照して、本発明によるパネル体を実施するための形態を説明する。しかし、本発明はこの実施形態のみに限定されるものではない。
【００１８】
（間仕切り装置）
図１は、本実施形態におけるパネル体を用いて構成された間仕切り装置の一例を示す斜視図である。図２は、平面板状のパネル体の構成を示す斜視展開図である。図３は、パネル体の板厚方向中間部における半断面図である。図４は、パネル体の端部を示す上面図である。図５は、パネル体の直線部の構造を示す断面図である。図６は、パネル体のコーナー部の構造を示す断面図である。
図１に示すように、間仕切り装置１０は、１枚以上、本実施形態では２枚のパネル体１１で構成される。本実施形態において、間仕切り装置１０は、ソファ１００の背面側に設置されている。間仕切り装置１０は、支持脚体５０によって床面上に設置されるとともに、不図示のブラケット等によってソファ１００に取り付け固定される。
【００１９】
（パネル体）
パネル体１１は、設置する什器の形状等に沿って、平面板状、あるいは平面視または側面視したときに、中間部で折曲または湾曲した略Ｌ字状、あるいは全体が湾曲した平面視略Ｃ字状等とすることができる。以下においては、パネル体１１が平面板状であるものとして説明を行う。
図２に示すように、パネル体１１は、パネル基材（基材）１２と、パネル基材１２の両面に沿って設けられたクッション材（軟性材）１３と、パネル基材１２およびクッション材１３を覆う表皮材１４と、固定部材（固定手段）３０と、を備えている。
【００２０】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２１】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば六角形状の断面の孔１５ｈを複数千鳥状に組み合せたハニカム構造とされている。
【００２２】
（フレーム）
図２、図３に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００２３】
図４〜図６に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５とされている。
このようにして、パネル基材１２は、その外周側面に沿って連続し、パネル基材１２の内方に向けて凹んだ溝２５を有している。
【００２４】
ここで、図３に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００２５】
なおここで、図２では、平面板状のパネル体１１の例を示したが、パネル体１１を平面視または側面視した状態で略Ｌ字状、略Ｃ字状等とする場合には、フレーム２０の上下の枠材２１Ｃ，２１Ｄまたは左右の枠材２１Ａ，２１Ｂを，パネル体１１の形状に合わせて折曲または湾曲させる。
【００２６】
図５、図６に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００２７】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００２８】
図７は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図２に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００２９】
図５、図７に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図７（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００３０】
（表皮材）
図５、図７に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
【００３１】
また、図５、図６に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
これらクッション材１３及び表皮材１４が、表皮構造を構成している。
【００３２】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００３３】
ここで、図２に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００３４】
図５に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００３５】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
【００３６】
連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たって部分よりも先端部分（不図示）を収容できる収容空間として機能する。
【００３７】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００３８】
さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材等を装着するための保持溝３５が形成されている。
【００３９】
図３に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。
【００４０】
図６に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００４１】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００４２】
連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００４３】
図３に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図６に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図３に示すように、第一直線状部４１Ａの下端部には、突起片４３が下方に向けて突出形成されている。この突起片４３が、直線部固定部材３０Ｓの上端部において、連結プレート部３２と突条３４との間の保持溝３５（図５参照）に挿入されている。
また、図３に示すように、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００４４】
（支持脚体）
図３に示すように、上記したようなパネル体１１の下部両端部のコーナー部には、それぞれ、コーナー部固定部材３０Ｃとして、支持脚体５０が設けられている。この支持脚体５０は、床面に接地することで、パネル体１１を床面上に立設させる。
支持脚体５０は、パネル基材１２の下部端部１２Ｐで溝２５内に収容される下部支持部５１と、下部支持部５１の一端から上方に延び、パネル基材１２の側部下端部１２Ｑで溝２５内に収容される側部支持部５２と、下部支持部５１よりも下方に延びる支持脚部５３と、を一体に備えている。
【００４５】
下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、溝２５の基部２１ｅの所定の位置に形成された雌ネジ孔部２９にねじ込まれるようになっている。これにより、支持脚体５０が、パネル体１１に固定される。
【００４６】
支持脚部５３は、下部支持部５１よりも下方に延び、その下端部に、高さ調整ネジ４９がねじ込み可能とされている。
【００４７】
（パネル体の連結構造）
図８は、パネル体１１の下部の角部に設けられた支持脚体５０、およびパネル体１１，１１どうしの下部における連結構造の一例を示す斜視図である。図９は、パネル体１１，１１どうしの下部における連結構造を示す断面図である。
図８、図９に示すように、支持脚体５０には、隣接して配置される他のパネル体１１と連結するための連結部材５５の一端が係止可能とされている。このため、支持脚体５０には、下部支持部５１よりも下方に膨出した膨出部５６が一体に形成されている。
【００４８】
そして、この膨出部５６には、パネル体１１の厚さ方向に沿った支持脚体５０の中間部に、プレート状の連結部材５５の一端が挿入可能なスリット５７が形成されている。スリット５７は、膨出部５６において他方のパネル体１１に隣接する側の側面５６ａおよび下面５６ｂに開口している。
図９に示すように、スリット５７の上部には、後述する連結部材５５の突起部５８Ａが挿入される挿入凹部５７ａが、上方に向けて凹んで形成されている。そして、スリット５７の上部において、膨出部５６の側面５６ａ側には、挿入凹部５７ａに隣接して、下方に向けて突出する突起部５７ｂが形成されている。
【００４９】
また、膨出部５６には、スリット５７内に挿入された連結部材５５を係止するための、係止孔５６ｈが、パネル体１１の厚さ方向に沿って貫通形成されている。
【００５０】
連結部材５５は、両端部にそれぞれ貫通孔５５ｈが形成されている。また、連結部材５５の両端部には、それぞれ、上方に向けて突出する突起部５８Ａが形成されている。また、連結部材５５には、両端部の突起部５８Ａ，５８Ａの間に、上方に向けて突出する中央突起部５８Ｂが形成されている。そして、中央突起部５８Ｂと、その両側の突起部５８Ａとの間には、下方に向けて凹となる係合凹部５８Ｃが形成されている。
【００５１】
突起部５７ｂおよび係合凹部５８Ｃは、膨出部５６の側面５６ａ側、中央突起部５８Ｂ側が、上下方向に延在する鉛直面５７ｆ、５８ｆとされ、その反対側が、上方に行くにしたがい鉛直面５７ｆ、５８ｆから離間する傾斜面５７ｇ、５８ｇとされている。これにより、突起部５７ｂおよび係合凹部５８Ｃは、いずれも下方に行くにしたがいその幅寸法が漸次小さくなるテーパ状をなしている。
この係合凹部５８Ｃに、スリット５７の突起部５７ｂが嵌め込まれることで、連結部材５５と支持脚体５０とを、パネル体１１，１１が隣り合う方向において、容易に位置決めできるようになっている。
【００５２】
互いに隣接するパネル体１１，１１どうしを連結するには、貫通孔５５ｈが形成された連結部材５５の両端部を、支持脚体５０のスリット５７に挿入する。連結部材５５の両端部の係合凹部５８Ｃに、それぞれ、両側のパネル体１１に設けられた支持脚体５０の突起部５７ｂを嵌め込む。ここで、突起部５７ｂおよび係合凹部５８Ｃは、いずれも下方に行くにしたがいその幅寸法が漸次小さくなるテーパ状をなしている。したがって、係合凹部５８Ｃに突起部５７ｂが挿入されることで、連結部材５５と支持脚体５０とが、パネル体１１，１１が隣り合う方向において互いに位置決めされる。これにより、連結部材５５に形成された両端部の貫通孔５５ｈと、支持脚体５０の係止孔５６ｈとが連通する。そこで、これら貫通孔５５ｈ及び係止孔５６ｈに連結ボルト５９を挿通・締結させる。これにより、連結部材５５によって、パネル体１１，１１どうしが下端部で連結される。
【００５３】
図１０は、パネル体１１，１１どうしの上部における連結構造の一例を示す斜視図である。
この図１０に示すように、互いに隣接するパネル体１１，１１どうしは、それぞれの上端部どうしを、上部連結部材６１によって連結することができる。
この上部連結部材６１は、コーナーキャップ４０に代えて、コーナー部固定部材３０Ｃに取り付けられる。上部連結部材６１の両端部６１ａ，６１ａには、ボルト挿通孔６２が形成されている。
また、上部連結部材６１の中間部６１ｂの下面側には、互いに隣接するパネル体１１，１１の上部に配置されたコーナー部固定部材３０Ｃ．３０Ｃの間隔を規制する間隔規制部６３が下方に向けて突出形成されている。間隔規制部６３が、互いに隣接するパネル体１１，１１の上部に配置されたコーナー部固定部材３０Ｃ．３０Ｃの間に挿入されることで、パネル体１１，１１どうしの間隔を規制することができる。
このような上部連結部材６１によって、互いに隣接するパネル体１１，１１の上端部どうしを連結するには、以下のようにする。
まず、上部連結部材６１を、互いに隣接するパネル体１１，１１の上部に配置されたコーナー部固定部材３０Ｃ．３０Ｃ上に載せる。このとき、上部連結部材６１の両端部６１ａ，６１ａの下面が、コーナー部固定部材３０Ｃの第二直線状部３８Ｂに対し、側部プレート部３６，３６との間に挿入され、連結プレート部３７に突き当てられている。そして、間隔規制部６３が、互いに隣接するパネル体１１，１１の上部に配置されたコーナー部固定部材３０Ｃ．３０Ｃの間に挿入されることで、パネル体１１，１１どうしの間隔を規制することができる。より具体的には、間隔規制部６３の両側面６３ａ，６３ａに、コーナー部固定部材３０Ｃの第一直線状部３８Ａの連結プレート部３７に突き当てることで、パネル体１１，１１どうしの間隔を適正に位置決めできる。この状態で、ボルト挿通孔６２に挿通させたボルト６４により、上部連結部材６１と、コーナー部固定部材３０Ｃ、枠材２１Ｃ（図３参照）、ブラケット２２の第二プレート部２２ｂ（図３参照）を一体に締結する。これによって、互いに隣接するパネル体１１，１１の上端部どうしが連結される。
【００５４】
（製造方法）
次に、上記したようなパネル体１１の製造方法について説明する。
図１１は、パネル体１１の製造方法の流れを示す図であり、（ａ）はパネル基材１２を組み立てた状態の断面図、（ｂ）はパネル基材１２の表面にクッション材１３を設けた状態の断面図、（ｃ）はクッション材１３の表面に表皮材１４を沿わせた状態の断面図である。
（パネル基材組立工程）
まず、図１１（ａ）に示すように、所定形状のフレーム２０を組み立てる。
次いで、フレーム２０の一面側（例えば図１１（ａ）における下側）に、ベースシート１８を接着する。そして、ベースシート１８を接着した側（一面側）を下に向けてフレーム２０を置く。続いて、フレーム２０の内側にパネル状の芯材１５を入れ、下方のベースシート１８に接着する。次いで、上方を向いているフレーム２０の他面側（例えば図１１（ａ）における上側）にベースシート１８を接着する。これにより、芯材１５と、フレーム２０と、ベースシート１８とからなるパネル基材１２が構成される。
【００５５】
（クッション材貼り付け工程）
次いで、図１１（ｂ）に示すように、パネル基材１２の両面側において、それぞれベースシート１８に、周縁に角部１６ｖを有した複数の貫通孔１６が予め形成されたクッション材１３を接着する。これにより、クッション材１３によってパネル基材１２の表面に凹凸形状が形成される。
【００５６】
（表皮材配置工程）
次に、図１１（ｃ）に示すように、クッション材１３を覆うように表皮材１４を沿わせて配置する。このとき、クッション材１３と表皮材１４にはそれぞれ接着剤を塗布しておく。
【００５７】
（凹部形成工程）
そして、図１１（ｃ）の状態としたパネル体１１の材料を、プレス型でプレスすることによって、表皮材１４を、クッション材１３による凹凸形状に沿わせて成形する。これにより、表皮材１４がクッション材１３の形状に応じて密着する。その結果、表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう接着される。これにより、図７（ｂ）に示すように、表皮材１４が、クッション材１３に形成された複数の貫通孔１６からなる凹凸形状に沿い、パネル体１１の表面に複数の長円形状の凹部１７が形成される。
【００５８】
このようにして、表皮材１４が接着された結果、クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面となる。
【００５９】
（固定部材装着工程）
次に、図５、図６に示すように、フレーム２０の外周縁部よりも外周側まで広がっているクッション材１３および表皮材１４の外周端部１３ｅ，１４ｅを、パネル基材１２の外周縁部を回り込ませて、溝２５内側に巻き込む。
そして、溝２５に、固定部材３０を構成する直線部固定部材３０Ｓ、コーナー部固定部材３０Ｃ、支持脚体５０を嵌め込んで固定する。
これにより、パネル体１１が完成する。
【００６０】
上述したパネル体１１によれば、パネル体１１は、パネル基材１２と、パネル基材１２の外周側面に沿って形成され、パネル基材１２の内方に向けて凹んだ溝２５と、パネル基材１２を支持する一対の支持脚体５０と、を備えている。そして、支持脚体５０は、パネル基材１２の下部端部１２Ｐの溝２５内に収容される下部支持部５１と、下部支持部５１から延び、パネル基材１２の側部下端部１２Ｑの溝２５内に収容される側部支持部５２と、下部支持部５１よりも下方に延びる支持脚部５３と、を備えている。
このようにして、支持脚体５０の下部支持部５１と側部支持部５２とが溝２５内に収容されることで、支持脚体５０の取付部が露出せず、見栄えを向上させることができる。
また、支持脚体５０の下部支持部５１と側部支持部５２とが、それぞれパネル基材１２の下部端部１２Ｐと側部下端部１２Ｑとに固定されることで、支持脚体５０のパネル基材１２への取付強度が向上する。
【００６１】
また、下部支持部５１はパネル基材１２の下部端部１２Ｐの溝２５の底面を形成する基部２１ｅに突き当てて固定され、側部支持部５２は、パネル基材１２の側部端部の溝２５の底面を形成する基部２１ｅに突き当てて固定されている。
これにより、下部支持部５１がパネル基材１２の下側を直接支持するとともに側部支持部５２がパネル基材１２の側部を直接支持する。よって、支持脚体５０の下部支持部５１と側部支持部５２が、それぞれパネル基材１２に対して強固に固定される。
【００６２】
支持脚体５０は、隣接して配置される他のパネル体１１と連結するための連結部材５５の一端が係止可能である。
これによって、支持脚体５０を用いてパネル体１１の下部どうしを連結することが可能となる。
【００６３】
支持脚体５０は、連結部材５５の一端が挿入可能なスリット５７と、スリット５７に挿入された連結部材５５の一端を係止する係止孔５６ｈと、を備えている。
これにより、連結部材５５の一端を支持脚体５０のスリット５７に挿入し、係止孔５６ｈで連結部材５５を係止することにより、パネル体１１どうしを容易に連結することができる。
【００６４】
支持脚体５０は、スリット５７に連結部材５５の一端を挿入したときに、スリット５７と連結部材５５とを他のパネル体１１と隣り合う方向において位置決めする係合凹部５８Ｃをさらに備える。
これにより、隣り合うパネル体１１どうしを位置決めすることで、スリット５７に挿入した連結部材５５を支持脚体５０に容易に係止させることができる。
【００６５】
また、パネル体１１によれば、パネル基材１２およびクッション材１３を覆う表皮材１４が、パネル体１１の外周部において、パネル基材１２の外周縁部を回り込んで溝２５の内側に巻き込まれている。このため、パネル体１１の外周部は、パネル基材１２が露出することなく、表皮材１４で覆われることになる。
さらに、表皮材１４は、溝２５内で固定部材３０により固定されるため、固定部材３０がパネル体１１の外周部に露出するのを抑えることができる。支持脚体５０の部分においては、表皮材１４は、溝２５内で支持脚体５０の下部支持部５１及び側部支持部５２により固定されるため、支持脚体５０の下部支持部５１及び側部支持部５２がパネル体１１の外周部に露出するのを抑えることができる。
これにより、パネル体１１の外観を、柔軟な、有機的な印象とすることができる。
【００６６】
さらに、上述したパネル体１１においては、クッション材１３の外周端部１３ｅが、表皮材１４とともに、パネル基材１２の外周縁部で溝２５の内側に巻き込まれている。このように、表皮材１４だけでなく、表皮材１４によって覆われるクッション材１３も、パネル基材１２の外周縁部を回り込んで溝２５の内側に巻き込まれているので、パネル体１１の外周部が、より柔軟な印象の外観となる。
【００６７】
また、クッション材１３は、貫通孔１６によりパネル基材１２の表面に凹凸形状を形成し、表皮材１４は、パネル基材１２およびクッション材１３を覆うことで、凹凸形状に沿うことで凹部１７を形成する。
このようにして、表皮材１４によって覆われた部分に凹部１７が形成されるので、パネル体１１の意匠性が高まる。
【００６８】
加えて、クッション材１３は、弾性を有してパネル基材１２の表面に角部１６ｖを有する凹凸形状を形成し、表皮材１４は、角部１６ｖを圧縮方向に弾性変形させてクッション材１３およびパネル基材１２を覆っている。
これにより、形成された凹部１７は、クッション材１３の角部１６ｖが表皮材１４によって圧縮方向に弾性変形している。このため、表皮材１４が角部１６ｖに突き当たった部分で角部１６ｖの反発力によって押圧される。したがって、凹部１７の形状が維持されるとともに、表皮材１４がクッション材１３の外表面１３ｆに沿った方向で図７（ｂ）中に矢印Ｔで示す方向に伸長され、表皮材１４が弛むのを抑えることができる。
このようにして、意匠性に優れたパネル体１１を低コストで提供することが可能となる。
【００６９】
また、クッション材１３は、周縁に角部１６ｖを有する貫通孔１６が形成されている。
これにより、パネル基材１２の表面に凹凸形状を形成することができる。
クッション材１３の大きさを、パネル基材１２の表面の大きさよりも小さくすれば、クッション材１３の外周縁部の角部１６ｖによって、パネル基材１２の表面に凹凸形状を形成することができる。この場合、凹凸形状を設計通りに形成するには、クッション材１３を、パネル基材１２の表面に対して正確に位置決めする必要がある。これに対し、クッション材１３自体に、貫通孔１６を形成すると、パネル基材１２表面に沿ってクッション材１３を配置するのみで、凹凸形状を正確に実現できる。これにより、凹凸形状のデザインの自由度が高まる。
【００７０】
クッション材１３は、周縁に角部１６ｖを有する貫通孔１６が形成されている。表皮材１４は、貫通孔１６を通してパネル基材１２の表面であるベースシート１８の露出面１８ｆに直接接着されている。
これにより、クッション材１３を貫通しない凹部によって凹凸形状を形成する場合に比較し、表皮材１４によって覆われた部分に形成される凹部１７が、段差の大きなダイナミックなものとなり、意匠性が高まる。
また、クッション材１３は、一般的に、スポンジ状の多孔質材等によって形成される。このような場合、クッション材１３と表皮材１４との接触面積が小さく、接着強度が確保しにくい。これに対し、表皮材１４が貫通孔１６の内方でパネル基材１２の表面に直接接着されることで、表皮材１４とクッション材１３とが面状に接着される。したがって、表皮材１４がクッション材１３に接着されている部分に比較し、表皮材１４が強固に接着される。これによって、時間の経過とともに表皮材１４が剥がれるのを防ぎ、形状を長期間にわたって安定して維持することができる。
【００７１】
さらに、表皮材１４は、弾性変形可能な材質で形成され、伸長した状態でクッション材１３及びパネル基材１２を覆っている。
これにより、表皮材１４が、張りのある状態となり、意匠性が高まる。
【００７２】
ここで、パネル基材１２は、ハニカム構造の芯材１５と、芯材１５の両面に設けられたシート材と、を備える。これにより、パネル基材１２が軽量でありながら十分な強度を有したものとなる。
【００７３】
また、上記したようなパネル体１１の製造方法は、パネル基材１２の表面にクッション材１３を貼り付ける工程と、パネル基材１２およびクッション材１３を覆うように表皮材１４を配置する工程と、表皮材１４をクッション材１３に押し付けて表皮材１４を凹凸形状に沿わせるとともに、表皮材１４によりクッション材１３の角部１６ｖを圧縮方向に弾性変形させる工程と、を備える。これにより、上記したようなパネル体１１を製造することできる。
【００７４】
（支持脚体の変形例）
上記実施形態では、支持脚体５０は床面上に支持脚部５３が床面上に設置される構成を示したが、これに限るものではない。
図１２は、本実施形態に係る支持脚体の変形例を示す図であり、支持脚体５０Ｂ、５０Ｃを備えたパネル体１１の斜視図である。図１３は、図１２に示した支持脚体５０Ｂ、５０Ｃの斜視図である。
図１２に示すように、上記したようなパネル体１１の下部両端部には、支持脚体５０Ｂ，５０Ｃが設けられている。この支持脚体５０Ｂ，５０Ｃは、デスク天板１５０に固定されることで、パネル体１１をデスク天板１５０上に立設させる。
【００７５】
図１３に示すように、一方の支持脚体５０Ｂは、下部支持部５１と、下部支持部５１の一端から上方に延びる側部支持部５２と、下部支持部５１よりも下方に延びる支持脚部８０と、側部支持部５２の下端部から下部支持部５１とは反対側、つまり溝２５から突出する方向に延びるクランプアーム８１と、クランプアーム８１の下端部に形成されたサポート部８２と、を一体に備えている。
【００７６】
下部支持部５１および側部支持部５２は、支持脚体５０（図３参照）と同様の構成である。すなわち、図３に示した下部支持部５１と同様に、パネル基材１２の下部端部１２Ｐの溝２５内に収容され、溝２５の底面を形成する基部２１ｅに突き当てられてボルト４８により締結固定されている。また、側部支持部５２は、フレーム２０の側部下端部１２Ｑの溝２５内に収容され、溝２５の底面を形成する基部２１ｅに突き当てられてボルト４８により締結固定されている。
【００７７】
クランプアーム８１は、側部支持部５２の下端部から斜め下方に延びる傾斜アーム部８１ａと、傾斜アーム部８１ａの先端部から連続して鉛直下方に延びる鉛直アーム部８１ｂと、鉛直アーム部８１ｂの下端部に連続して下部支持部５１の下方に向けて水平方向に延びる水平アーム部８１ｃと、を備えている。
【００７８】
支持脚部８０は、クランプアーム８１の傾斜アーム部８１ａの下方に一体に形成されている。支持脚部８０の下面８０ｆは、デスク天板１５０の上面１５０ｆに突き当たることで、パネル体１１の荷重を支持する。
【００７９】
サポート部８２は、水平アーム部８１ｃの先端部からＶ字状に分岐した二本一対のサポートアーム８２ａ，８２ａを備えている。これらサポートアーム８２ａ，８２ａは、水平アーム部８１ｃの先端部から離間するにしたがって、パネル体１１の板厚方向に沿った方向の間隔が漸次増大するよう形成されている。
サポートアーム８２ａ，８２ａの先端部には、それぞれ円板状の当てパッド８３ｐが設けられている。当てパッド８３ｐは、上下方向に中心軸を有してサポートアーム８２ａにねじ込まれた不図示のネジを有している。当てパッド８３ｐを中心軸周りに回転させることで、その高さが調整可能とされている。
【００８０】
このような支持脚体５０Ｂに対し、デスク天板１５０の端部１５０ｅは、クランプアーム８１の傾斜アーム８１ａ、鉛直アーム部８１ｂ、水平アーム部８１ｃによって囲まれた領域に挿入される。そして、支持脚部８０の下面８０ｆが、デスク天板１５０の上面１５０ｆに突き当てられる。この状態で、当てパッド８３ｐを回転させ、当てパッド８３ｐをデスク天板１５０の下面に突き当てる。これによって、支持脚部８０の下面８０ｆと当てパッド８３ｐとで、デスク天板１５０を上下から挟み込むようになっている。
【００８１】
他方の支持脚体５０Ｃは、フレーム２０の下部端部１２Ｐの溝２５内に収容される下部支持部８５と、上下方向に延び、フレーム２０の側部下端部１２Ｑの溝２５内に収容される側部支持部８６と、側部支持部８６の下端部に設けられた当て金具８７と、を一体に備えている。
【００８２】
側部支持部８６は、上下方向に直交する断面形状がコ字状で、一対の側板部８６ａ，８６ａと、これら側板部８６ａ，８６ａどうしを一体に連結する連結板部８６ｂと、を有している。
【００８３】
下部支持部８５は、一定幅を有した帯板状で、その一端が、側部支持部８６の下端部において、側板部８６ａ，８６ａと連結板部８６ｂとに囲まれた部分に一体に接合されている。
これら側部支持部８６、下部支持部８５には、不図示のボルト挿通孔が形成されており、図３に示したフレーム２０の溝２５の底面を形成する基部２１ｅに突き当ててボルト４８により締結固定されている。
【００８４】
当て金具８７は、側部支持部８６の下端部に直交し、パネル体１１の板厚方向に沿って水平方向に延在する。当て金具８７は、断面Ｌ字状で、デスク天板１５０の上面に突き当たる上部サポート部８７ａと、上部サポート部８７ａの一端から鉛直下方に垂下し、デスク天板１５０の端部に突き当たる側部サポート部８７ｂとが一体に形成されている。
【００８５】
上記したような支持脚部５０Ｂ，５０Ｃにおいても、支持脚体５０の下部支持部５１，８５と側部支持部５２，８６とが溝２５内に収容されることで、図１２に示すように、支持脚体５０Ｂ，５０Ｃの取付部が露出せず、見栄えを向上させることができる。
また、支持脚体５０の下部支持部５１，８５と側部支持部５２，８６とが、それぞれパネル基材１２の下部端部１２Ｐと側部下端部１２Ｑとに固定されることで、支持脚体５０Ｂ，５０Ｃのパネル基材１２への取付強度が向上する。これによって、パネル体１１を、下端部に設けた支持脚体５０Ｂ，５０Ｃのみでデスク天板１５０上に強固に固定することが可能となる。
【００８６】
（その他の実施形態）
なお、本発明は、図面を参照して説明した上述の各実施形態に限定されるものではなく、その技術的範囲において様々な変形例が考えられる。
例えば、上記実施形態においては、パネル基材１２の外周部の全周にわたって溝２５を形成するものとしたが、これに限るものではない。パネル基材１２の外周部の少なくとも下部端部１２Ｐと側部下端部１２Ｑとに溝２５が設けられていれば良い。
【００８７】
また、溝２５内で表皮材１４を固定する固定手段として、固定部材３０を例に挙げたが、表皮材１４を固定できるのであれば、他のいかなる構成としてもよい。例えば、固定部材３０の断面形状、構造等については、何ら限定するものではない。さらには、表皮材１４を、タッカーや接着等によって溝２５内に固定するようにしてもよい。
【００８８】
上記実施形態では、軟性材として、弾性を有したクッション材１４を例に挙げたが、軟性材は、弾性を有さず、少なくとも軟性を有していれば良い。
【００８９】
さらに、上記実施形態では、パネル基材１２を、芯材１５、フレーム２０、およびベースシート１８から形成したが、これに限るものではない。例えば、単体で所要の強度を確保できるのであれば、例えば、樹脂材料等からなるパネルをそのままパネル基材１２とし、その外周部に溝２５を形成するようにしてもよい。また、基材は、例えば、各種什器の外表面を構成する部材等とすることもできる。これにより、什器の表面に、凹凸部を形成し、意匠性を高めることが可能となる。
【００９０】
上記実施形態では、パネル基材１２の表面に凹凸形状を形成するため、クッション材１３に貫通孔１６を形成するようにしたが、これに限るものではない。例えば、図１４（ａ）〜（ｃ）に示すように、クッション材１３に、非貫通の凹部１６Ｐ（図１４（ａ）参照）、凸部１６Ｑ（図１４（ｂ）参照）、段部１６Ｒ（図１４（ｃ）参照）等を形成してもよい。さらに、凹凸形状の断面形状も、いかなる形状としてもよく、例えば図１４（ｄ）に示すように、曲線状の凸部１６Ｓ等としてもよい。
【００９１】
また、上記実施形態では、凹凸形状を形成する貫通孔１６は、例えば、上下方向を長軸方向とした長円形状としたが、長円形以外の、円形、多角形状等、あるいは企業ロゴ等の他の形状としてもよい。
【００９２】
さらに、上記実施形態では、貫通孔１６は、その内周面１６ｆが外表面１３ｆと直交することで、外周縁部に角部１６ｖを形成したが、内周面１６ｆが外表面１３ｆとが傾斜して交差してもよい。
【００９３】
加えて、上記実施形態では、クッション材１３および表皮材１４の外周端部１３ｅ，１４ｅが、パネル基材１２を構成する各枠材２１Ａ，２１Ｂ，２１Ｃ，２１Ｄの側壁部２１ｆを回り込んで、溝２５内に巻き込まれている。しかし、クッション材１３を、パネル基材１２の外周寸法よりも小さくして、表皮材１４のみを溝２５内に巻き込むようにしてもよい。
【００９４】
さらに、上記実施形態で示したような表皮構造は、パネル基材１２の両面に形成するとは限らず、図１５に示すように、パネル基材１２の一面側にのみ形成するようにしてもよい。
【００９５】
なお、上記実施形態では、クッション材１３および表皮材１４を備えるようにしたが、クッション材１３および表皮材１４は必須の構成ではない。
【００９６】
また、上記実施形態では、間仕切り装置１０をソファ１００の背面側に沿って設けるようにしたが、これに限るものではない。間仕切り装置１０は、ソファ１００以外にも、デスク、テーブル、カウンター、棚、チェア等に組み合わせて設けてもよい。
これ以外にも、本発明の主旨を逸脱しない限り、上記実施の形態で挙げた構成を取捨選択したり、他の構成に適宜変更したりすることが可能である。
【符号の説明】
【００９７】
１０  間仕切り装置
１１  パネル体
１２  パネル基材（基材）
１２Ｐ  下部端部
１２Ｑ  側部下端部
１３  クッション材（軟性材）
１３ｅ，１４ｅ  外周端部
１４  表皮材
１５  芯材
１５ｈ  孔
１６  貫通孔
１６ｖ  角部
１６ｆ  内周面
１７  凹部
１８  ベースシート
２０  フレーム
２５  溝
３０  固定部材
３０Ｃ  コーナー部固定部材
３０Ｓ  直線部固定部材
５０，５０Ｂ，５０Ｃ  支持脚体
５１，８５  下部支持部
５２，８６  側部支持部
５３，８０  支持脚部
５５  連結部材
５６ｈ  係止孔（係止部）
５７  スリット
５８Ｃ  係合凹部（位置決め部）
６１  上部連結部材
１００  ソファ
１５０  デスク天板
Ｓ１  空間
Ｓ２  空間
【図１】
2015086643.tif 000003
【図２】
2015086643.tif 000004
【図３】
2015086643.tif 000005
【図４】
2015086643.tif 000006
【図５】
2015086643.tif 000007
【図６】
2015086643.tif 000008
【図７】
2015086643.tif 000009
【図８】
2015086643.tif 000010
【図９】
2015086643.tif 000011
【図１０】
2015086643.tif 000012
【図１１】
2015086643.tif 000013
【図１２】
2015086643.tif 000014
【図１３】
2015086643.tif 000015
【図１４】
2015086643.tif 000016
【図１５】
2015086643.tif 000017